(57)【要約】【課題】手動で操作しなくても照明のオン・オフ操作が自動的に行われ、かつ、作業を開始する前であっても安全に照明を点灯させることができる可搬型動力駆動工具を提供する。【解決手段】周囲の明るさを検知する明るさセンサ３５と、前記明るさセンサ３５の検知結果によってオン・オフされるライト３１と、を備えるようにした。【選択図】図２
2020131395.tif 000002
【特許請求の範囲】
【請求項１】
周囲の明るさを検知する明るさセンサと、
前記明るさセンサの検知結果によってオン・オフされるライトと、
を備えたことを特徴とする、可搬型動力駆動工具。
【請求項２】
作業者が把持可能に形成されたグリップハウジングを備え、
前記明るさセンサは、前記グリップハウジングを把持する作業者の指で覆うことができる範囲に配置されていることを特徴とする、請求項１記載の可搬型動力駆動工具。
【請求項３】
前記明るさセンサに光が入射しないように固定可能なカバーを備えることを特徴とする、請求項１または２記載の可搬型動力駆動工具。
【請求項４】
前記明るさセンサに入射する光量を調節するための光量調節部を備えることを特徴とする、請求項１〜３のいずれか１項に記載の可搬型動力駆動工具。
【請求項５】
前記明るさセンサの検知結果に応じて前記ライトの明るさが変化することを特徴とする、請求項１〜４のいずれか１項に記載の可搬型動力駆動工具。
【発明の詳細な説明】
【技術分野】
【０００１】
この発明は、エア、電気、ガスなどの動力により駆動して手持ち可能な可搬型動力駆動工具に関し、特に、照明機能を有する可搬型動力駆動工具に関する。
【背景技術】
【０００２】
この種の手持ち工具は、光の届きにくい暗所において使用されることがある。このため、作業者の手元や作業場所を照らすために照明機能を備えたものが存在する。
【０００３】
例えば、特許文献１には、ハンドルの握り部下部に回動自在で複数の角度位置で固定できるレバーにライトを構成したものが開示されている。また、特許文献２には、電動工具の本体側に照明手段を備えた構成が開示されている。
【０００４】
このような照明をオン・オフする機構としては、例えば、照明をオン・オフするための専用のスイッチを設け、このスイッチを作業者が手動で操作をする態様が考えられる。また、別の機構としては、照明をオン・オフするための専用のスイッチを設けず、既存のスイッチ等が操作されたときに照明をオン・オフする態様が考えられる。例えば、トリガが操作されて工具での作業が開始したときに、自動的に照明が点灯する態様が考えられる。
【先行技術文献】
【特許文献】
【０００５】
【特許文献１】特開２００４−２０９５６７号公報
【特許文献２】実開平０１−１１７８８２号公報
【発明の概要】
【発明が解決しようとする課題】
【０００６】
しかし、作業者が手動で照明のオン・オフの操作をする態様では、作業者がスイッチをいちいち操作しなければならないため面倒であり、照明の切り忘れが発生するという問題があった。
【０００７】
また、トリガが操作されて作業を開始したときに照明が点灯する態様では、作業を開始する前に照明を点灯させたい場合にはトリガを無駄に操作しなければならず、安全上好ましくないという問題があった。
【０００８】
そこで、本発明は、手動で操作しなくても照明のオン・オフ操作が自動的に行われ、かつ、作業を開始する前であっても安全に照明を点灯させることができる可搬型動力駆動工具を提供することを課題とする。
【課題を解決するための手段】
【０００９】
本発明は、上記した課題を解決するためになされたものであり、周囲の明るさを検知する明るさセンサと、前記明るさセンサの検知結果によってオン・オフされるライトと、を備えたことを特徴とする。
【発明の効果】
【００１０】
本発明は上記の通りであり、周囲の明るさを検知する明るさセンサと、明るさセンサの検知結果によってオン・オフされるライトと、を備えている。このため、暗所において作業しようとしたときには自動的にライトが点灯する。よって、手動で操作しなくても照明のオン・オフ操作が自動的に行われ、かつ、作業を開始する前であっても安全に照明を点灯させることができる。
【図面の簡単な説明】
【００１１】
【図１】可搬型動力駆動工具を前方から見た外観図である。
【図２】可搬型動力駆動工具を側方から見た外観図である。
【図３】明るさセンサ付近の一部拡大断面図であって、（ａ）明るさセンサが露出した状態の図、（ｂ）明るさセンサを指で覆った状態の図、（ｃ）明るさセンサをカバーで覆った状態の図である。
【図４】変形例１に係る明るさセンサ付近の一部拡大断面図であって、（ａ）明るさセンサが露出した状態の図、（ｂ）明るさセンサを摺動部材で覆った状態の図である。
【図５】変形例２に係る明るさセンサ付近の一部拡大断面図であって、（ａ）明るさセンサを開口に露出した状態の図、（ｂ）明るさセンサを摺動部材で覆った状態の図である。
【発明を実施するための形態】
【００１２】
本実施形態に係る可搬型動力駆動工具１０は、作業現場に持ち運びして、手持ち状態で作業可能に構成された工具である。例えば、図１および図２に示すような、外部から供給された圧縮空気の空気圧によって作動する釘打ち機である。なお、本実施形態においては、可搬型動力駆動工具１０として空気圧式の工具を例に挙げているが、可搬型動力駆動工具１０としては空気打ち式のものに限らず、電気式やガス式などの公知の動力により駆動するものであってもよい。また、工具の種類も釘打ち機に限らず、手持ち可能な可搬型動力駆動工具１０であればどのような種類の工具であってもよい。
【００１３】
この可搬型動力駆動工具１０は、図１および図２に示すように、ボデーハウジング１１に対して略垂直にグリップハウジング２５を連結して構成されている。
【００１４】
ボデーハウジング１１は、内部に駆動機構を収容した筒状の部材である。このボデーハウジング１１の先端部には、被打込材に押し付けられるノーズ部２０が設けられている。このノーズ部２０には、連結釘を収容したマガジン２３が接続されており、マガジン２３に装填された連結釘の先頭の釘が、供給装置によってノーズ部２０へと供給されるようになっている。ノーズ部２０へと供給された釘は、駆動機構が作動したときにノーズ部２０の先端に設けられた射出口２０ａから打ち出されるようになっている。
【００１５】
なお、特に図示しないが、本実施形態に係る駆動機構は、圧縮空気の空気圧によってピストンを摺動させて作動するものである。このピストンの下部には、ピストンと一体的に摺動するドライバが連結されている。このドライバは、ノーズ部２０内を摺動可能に配置されており、ノーズ部２０内に待機している釘を射出口２０ａの方向に打ち出すことが可能となっている。
【００１６】
このボデーハウジング１１に接続されたグリップハウジング２５は、作業者が把持可能に棒状に形成されている。また、作業者がグリップハウジング２５を握ったときに作業者の人差し指がかかる位置には、人差し指で引き操作可能な操作部２６が設けられている。この操作部２６が操作されると、上記した駆動機構が作動するように構成されている。
【００１７】
ところで、本実施形態に係る可搬型動力駆動工具１０は、ライト３１と明るさセンサ３５とを備えて構成される照明装置を有している。
【００１８】
ライト３１は、作業場所を照らすためのものであり、例えばＬＥＤを使用することができる。このライト３１は、ボデーハウジング１１の先端方向に光を照射するように配置されている。本実施形態においては、作業面に臨むように複数のライト３１が並設されている。
【００１９】
このライト３１は、図１に示すように、ノーズ部２０の側部に配置された照明収容部３０に内蔵されている。照明収容部３０は、長手方向に複数のライト３１を収容している。例えば、照明収容部３０の内部には、複数のライト３１を直線的に並設した基板が収容されており、この基板を覆うケースとして照明収容部３０が設けられている。
【００２０】
明るさセンサ３５は、周囲の明るさを検知するセンサである。この明るさセンサ３５は、受光面３５ａに入射する光の量を検知するものであり、この光の量が予め定められた所定の閾値を越えているか否かを電気信号で出力可能となっている。上記したライト３１は、この明るさセンサ３５が出力した電気信号によって点灯または消灯するようになっている。具体的には、明るさセンサ３５が検知した明るさが予め定められた所定の閾値を越えているときにはライト３１が点灯せず、明るさセンサ３５が検知した明るさが所定の閾値に達していないときにはライト３１が点灯するように構成されている。
【００２１】
この明るさセンサ３５は、図３（ａ）に示すように、ボデーハウジング１１の側面に設けられたセンサ収容部３６に収容されている。センサ収容部３６は、ボデーハウジング１１の表面に対して陥没するように形成された穴であり、このセンサ収容部３６の底部に明るさセンサ３５が配置されている。センサ収容部３６は、穴を形成する周壁３６ａを備えており、この周壁３６ａの上端部が開口部３６ｂとなっている。明るさセンサ３５は、受光面３５ａがこのセンサ収容部３６の開口部３６ｂに向くように配置されており、開口部３６ｂから入射した光を検知可能となっている。
【００２２】
なお、本実施形態においては、センサ収容部３６は段穴形状で形成されている。このため、センサ収容部３６を深くして明るさセンサ３５を奥に配置した場合でも、開口部３６ｂを大きくすることで明るさセンサ３５に光が入射しやすくなっている。明るさセンサ３５を奥に配置することで、後述するように開口部３６ｂを指で塞いだ場合でも、指が明るさセンサ３５に触れないようにすることができる。また、この段穴形状を使用して、後述するカバー３７を取り付けることができる。
【００２３】
本実施形態に係る明るさセンサ３５は、図２に示すように、グリップハウジング２５の近傍に配置されており、グリップハウジング２５を把持する作業者の指で覆うことができる範囲に配置されている。具体的には、右手でグリップハウジング２５を握ったときに、親指で覆うことができる位置に明るさセンサ３５が配置されている。このため、図３（ｂ）に示すように、センサ収容部３６の開口部３６ｂを指で覆うことにより、明るさセンサ３５の受光面３５ａに光が入らないように遮ることができる。このような操作を可能にすることで、周囲の明るさに関係なくライト３１をオン・オフすることを可能としている。すなわち、明るさセンサ３５を指で覆うことで、手動スイッチの代わりとして使用することができる。
【００２４】
また、本実施形態に係る可搬型動力駆動工具１０は、図３（ｃ）に示すように、明るさセンサ３５に光が入射しないようにセンサ収容部３６に固定可能なカバー３７を備えている。このカバー３７は、キャップ状にセンサ収容部３６に取り付けることが可能である。このカバー３７を取り付けることで、明るさセンサ３５の受光面３５ａに光が入らないように遮ることができる。このようなカバー３７を取り付け可能にすることで、周囲の明るさに関係なくライト３１をオン・オフすることを可能としている。すなわち、明るさセンサ３５をカバー３７で覆うことで、手動スイッチの代わりとして使用することができる。
【００２５】
なお、本実施形態に係るカバー３７はキャップ状に構成しているが、カバー３７の態様はこれに限らず、明るさセンサ３５を無効化できるものであればどのような形状・素材であってもよい。例えば、センサ収容部３６の近傍にスライド式や回転式のカバー３７を取り付け、このカバー３７を移動させることで明るさセンサ３５の有効・無効を切り替えるようにしてもよい。
【００２６】
以上説明したように、本実施形態によれば、周囲の明るさを検知する明るさセンサ３５と、明るさセンサ３５の検知結果によってオン・オフされるライト３１と、を備えている。このため、暗所において作業しようとしたときには自動的にライト３１が点灯する。よって、手動で操作しなくても照明のオン・オフ操作が自動的に行われ、かつ、作業を開始する前であっても安全に照明を点灯させることができる。
【００２７】
なお、上記したような態様に限らず、明るさセンサ３５に入射する光量を調節するための光量調節部を備えるようにしてもよい。光量調節部を備えるようにすれば、明るさセンサ３５の感度を調節することができるので、作業者が所望した暗さで自動的にライト３１が点灯するように調節することが可能となる。
【００２８】
光量調節部としては、例えば図４に示すような摺動部材３８を設けるようにしてもよい。この摺動部材３８は、明るさセンサ３５の受光面３５ａを覆う方向に摺動可能に設けられている。具体的には、図４（ａ）に示すように明るさセンサ３５の受光面３５ａを完全に開放する位置と、図４（ｂ）に示すように明るさセンサ３５の受光面３５ａを完全に遮蔽する位置と、の間で摺動可能に構成されている。この摺動部材３８は、図４（ａ）に示す位置と図４（ｂ）に示す位置との間の任意の位置で固定することが可能となっており、明るさセンサ３５の受光面３５ａの露出量を無段階で調節できるようになっている。このような光量調節部を使用すれば、明るさセンサ３５の感度を作業者が自由に調節することができる。
【００２９】
また、光量調節部の別の例としては、図５に示すような構成としてもよい。この図５に示す光量調節部は、センサ収容部３６の開口部３６ｂと明るさセンサ３５との相対位置を変化可能に構成されている。例えば、センサ収容部３６の内部で明るさセンサ３５を保持するセンサ保持部材４０を備えるようにしてもよい。そして、このセンサ保持部材４０は、開口部３６ｂに接近または離反する方向に移動可能となっており、センサ保持部材４０を手動操作で移動させることで、図５（ａ）に示すように明るさセンサ３５を開口部３６ｂに近づけたり、図５（ｂ）に示すように明るさセンサ３５を開口部３６ｂから離したりできるようにしてもよい。このような構成によれば、明るさセンサ３５を移動させることで明るさセンサ３５に光が届きやすくなったり届きにくくなったりするので、明るさセンサ３５の感度を作業者が自由に調節することができる。
【００３０】
なお、上記説明では、明るさセンサ３５を移動可能とした構成について説明したが、これに限らず、センサ収容部３６の周壁３６ａの高さを変更可能に構成してもよい。すなわち、センサ収容部３６の周壁３６ａを形成する壁形成部材３９を設け、この壁形成部材３９を明るさセンサ３５に対して移動可能に構成してもよい。この壁形成部材３９を手動操作で移動させることで、図５（ａ）に示すように明るさセンサ３５を開口部３６ｂに近づけたり、図５（ｂ）に示すように明るさセンサ３５を開口部３６ｂから離したりできるようにしてもよい。このような構成であっても、明るさセンサ３５に光が届きやすくなったり届きにくくなったりするので、明るさセンサ３５の感度を作業者が自由に調節することができる。
【００３１】
また、明るさセンサ３５の検知結果によってライト３１をオン・オフするだけでなく、明るさセンサ３５の検知結果に応じてライト３１の出力（明るさ）を自動調整するようにしてもよい。すなわち、明るさセンサ３５の検知結果に応じてライト３１の明るさを変化させてもよい。例えば、周囲が暗いときにライト３１を明るくすることで作業性を高めると同時に、あまり暗くないとき（多少明るいとき）には、ライト３１の出力を最低限の明るさに絞ることで、一定の明るさを確保しつつ、電力消費を削減することができる。
【符号の説明】
【００３２】
１０  可搬型動力駆動工具
１１  ボデーハウジング
２０  ノーズ部
２０ａ  射出口
２３  マガジン
２５  グリップハウジング
２６  操作部
３０  照明収容部
３１  ライト
３５  明るさセンサ
３５ａ  受光面
３６  センサ収容部
３６ａ  周壁
３６ｂ  開口部
３７  カバー
３８  摺動部材
３９  壁形成部材
４０  センサ保持部材
【図１】
2020131395.tif 000003
【図２】
2020131395.tif 000004
【図３】
2020131395.tif 000005
【図４】
2020131395.tif 000006
【図５】
2020131395.tif 000007